(57)【要約】【課題】カーシェアリング用の車両を移動させるユーザの労力を軽減しつつ、車両の偏在を緩和すること。【解決手段】情報提供装置１０は、車両が返却された位置を示す返却位置情報及び施設へ移動する予定がある第１ユーザの位置を示す第１ユーザ位置情報を取得する取得部１１と、返却位置情報と第１ユーザ位置情報とが所定の関係を満たす第１車両を選択する選択部１２と、第１車両の返却位置情報を第１ユーザ宛てに送信する送信部１３と、を備える。端末装置２０は、車両が返却された位置を示す返却位置情報のうち施設へ移動する予定がある第１ユーザの位置を示す第１ユーザ位置情報と所定の関係を満たす第１車両の返却位置情報を受信して出力する送信部２２を備える。【選択図】図１
2019139407.tif 000002
【特許請求の範囲】
【請求項１】
車両が返却された位置を示す返却位置情報及び施設へ移動する予定がある第１ユーザの位置を示す第１ユーザ位置情報を取得する取得部と、
前記返却位置情報と前記第１ユーザ位置情報とが所定の関係を満たす第１車両を選択する選択部と、
前記第１車両の前記返却位置情報を前記第１ユーザ宛てに送信する送信部と、
を備える情報提供装置。
【請求項２】
前記選択部は、前記返却位置情報及び前記第１ユーザ位置情報に基づいて、前記第１ユーザが前記車両まで到達するために必要な時間が所定の時間以下である第１車両を選択する、請求項１に記載の情報提供装置。
【請求項３】
前記選択部は、前記返却位置情報及び前記第１ユーザ位置情報に基づいて、前記第１ユーザが前記車両まで到達するための経路の長さが所定の長さ以下である第１車両を選択する、請求項１に記載の情報提供装置。
【請求項４】
前記第１車両を使用して前記第１ユーザが前記施設へ移動したことを示す使用完了情報を受信する受信部を更に備え、
前記送信部は、前記受信部が前記使用完了情報を受信した場合、前記第１車両を使用したことにより付与される特典の内容を示す特典情報を更に送信する、請求項１から３のいずれか一つに記載の情報提供装置。
【請求項５】
前記第１車両が使用されないことを示す不使用情報を受信する受信部を更に備え、
前記選択部は、前記受信部が前記不使用情報を受信した場合、以前選択した前記第１車両とは別の第１車両を選択する、請求項１から３のいずれか一つに記載の情報提供装置。
【請求項６】
車両が返却された位置を示す返却位置情報のうち施設へ移動する予定がある第１ユーザの位置を示す第１ユーザ位置情報と所定の関係を満たす第１車両の前記返却位置情報を受信して出力する出力部を備える端末装置。
【請求項７】
車両が返却された位置を示す返却位置情報のうち施設へ移動する予定がある第１ユーザが前記車両まで到達するために必要な時間が所定の時間以下である前記第１車両の前記返却位置情報を受信して出力する出力部を備える、請求項６に記載の端末装置。
【請求項８】
車両が返却された位置を示す返却位置情報のうち施設へ移動する予定がある第１ユーザが前記車両まで到達するための経路の長さが所定の長さ以下である前記第１車両の前記返却位置情報を受信して出力する出力部を備える、請求項６に記載の端末装置。
【請求項９】
前記第１車両を使用して前記第１ユーザが前記施設へ移動したことを示す使用完了情報を送信する送信部を更に備え、
前記出力部は、前記第１車両を使用したことにより付与される特典の内容を示す特典情報を更に受信して出力する、請求項６から８のいずれか一つに記載の端末装置。
【請求項１０】
前記第１車両が使用されないことを示す不使用情報を送信する送信部を更に備え、
前記出力部は、以前選択された前記第１車両とは別の第１車両の前記返却位置情報を更に受信して出力する、請求項６から８のいずれか一つに記載の端末装置。
【発明の詳細な説明】
【技術分野】
【０００１】
本発明は、情報提供装置及び端末装置に関する。
【背景技術】
【０００２】
下記特許文献１には、車両移動における移動元カーポートと、移動先カーポートを選定する移動対象カーポート選定手段と、前記車両の移動の際の制限時間を設定する制限時間設定手段と、前記車両の移動依頼の通知をユーザーに対して行う移動依頼通知手段と、前記移動先カーポートに前記車両が移動されたことを確認する確認手段と、前記確認手段によって前記車両の移動が確認されたとき前記ユーザーとの間で所定対価の決済を行う決済手段と、有することを特徴とするカーポート管理システムが開示されている。
【先行技術文献】
【特許文献】
【０００３】
【特許文献１】特開２０１０−１７０２８３号公報
【発明の概要】
【発明が解決しようとする課題】
【０００４】
しかし、このカーポート管理システムは、ユーザーが移動元カーポートまで到達するために必要な時間が長い場合、ユーザーが移動依頼に応じることができず、各カーポート間での車両偏在問題を解決することができないことがある。
【０００５】
そこで、本発明は、カーシェアリング用の車両を移動させるユーザの労力を軽減しつつ、車両の偏在を緩和することができる情報提供装置及び端末装置を提供することを目的とする。
【課題を解決するための手段】
【０００６】
本発明の一態様に係る情報提供装置は、車両が返却された位置を示す返却位置情報及び施設へ移動する予定がある第１ユーザの位置を示す第１ユーザ位置情報を取得する取得部と、前記返却位置情報と前記第１ユーザ位置情報とが所定の関係を満たす第１車両を選択する選択部と、前記第１車両の前記返却位置情報を前記第１ユーザ宛てに送信する送信部と、を備える。
【０００７】
本発明の一態様に係る端末装置は、車両が返却された位置を示す返却位置情報のうち施設へ移動する予定がある第１ユーザの位置を示す第１ユーザ情報と所定の関係を満たす第１車両の前記返却位置情報を受信して出力する出力部を備える。
【発明の効果】
【０００８】
本発明によれば、カーシェアリング用の車両を移動させるユーザの労力を軽減しつつ、車両の偏在を緩和することができる情報提供装置及び端末装置を提供することができる。
【図面の簡単な説明】
【０００９】
【図１】実施形態に係る情報提供装置及び端末装置の構成の例を示す図である。
【図２】実施形態に係る情報提供装置及び端末装置が行う処理の例を示すシーケンス図である。
【図３】実施形態に係る情報提供装置及び端末装置が行う処理の例を示すシーケンス図である。
【発明を実施するための形態】
【００１０】
添付図面を参照して、本発明の好適な実施形態について説明する。なお、各図において、同一の符号を付したものは同一又は同様の構成を有する。
【００１１】
［実施形態］
図１を参照しながら、実施形態に係る情報提供装置の構成について説明する。
【００１２】
情報提供装置１０は、例えば、カーシェアリングサービスを提供するために使用されるサーバであり、図１に示すように、取得部１１と、選択部１２と、送信部１３と、受信部１４と、計数部１５とを備える。また、情報提供装置１０は、少なくとも取得部１１、選択部１２及び送信部１３を備えていればよく、取得部１１、選択部１２、送信部１３、受信部１４及び計数部１５については同等の機能を備える他の装置を利用してもよい。さらに、情報提供装置１０は、例えば、カーシェアリングサービスを提供する事業者が所有するサーバと、商業施設等に設置されたサーバとに分離しており、各構成要素をいずれかのサーバに含めていてもよい。
【００１３】
端末装置２０は、例えば、カーシェアリングサービスを利用するユーザにより携帯されているスマートフォンであり、図１に示すように、出力部２１と、送信部２２とを備える。また、端末装置２０は、出力部２１及び送信部２２について同等の機能を備える他の装置を利用してもよい。
【００１４】
なお、情報提供装置１０及び端末装置２０は、図１に示した構成要素以外の構成要素を備えていてもよい。
【００１５】
取得部１１は、車両が返却された位置を示す返却位置情報及び施設へ移動する予定がある第１ユーザの位置を示す第１ユーザ位置情報を取得する。ここで言う施設は、例えば、商業施設である。また、第１ユーザとは、例えば、施設の従業員であり、当該施設へ出勤する予定がある旨が予め登録されている。返却位置情報は、例えば、車両に搭載されているＧＰＳ（Global  Positioning  System）受信機から取得される。第１ユーザ位置情報は、例えば、第１ユーザが携帯している端末装置２０に搭載されているＧＰＳ受信機から取得される。
【００１６】
選択部１２は、返却位置情報と第１ユーザ位置情報とが所定の関係を満たす第１車両を選択する。
【００１７】
具体的には、選択部１２は、返却位置情報及び第１ユーザ位置情報に基づいて、第１ユーザが車両まで到達するために必要な時間が所定の時間以下である第１車両を選択する。例えば、選択部１２は、第１ユーザが車両まで到達するまでの経路の長さ及び一般的な歩行者の速さから当該時間を算出し、当該時間が所定の時間以下である車両を第１車両として選択する。
【００１８】
或いは、選択部１２は、返却位置情報及び第１ユーザ位置情報に基づいて、第１ユーザが車両まで到達するための経路の長さが所定の長さ以下である第１車両を選択する。例えば、選択部１２は、返却位置情報及び第１ユーザ位置情報から第１車両の返却位置と第１ユーザの位置とを結ぶ経路を割り出し、当該経路の長さを算出し、当該長さが所定の時間以下である車両を第１車両として選択する。
【００１９】
送信部１３は、第１車両の返却位置情報を第１ユーザ宛てに送信する。
【００２０】
受信部１４は、第１車両を使用して第１ユーザが施設へ移動したことを示す使用完了情報を受信する。そして、送信部１３は、受信部１４が使用完了情報を受信した場合、第１車両を使用したことにより付与される特典の内容を示す特典情報を送信する。なお、ここで言う特典は、例えば、１ポイント当たり１円に相当する価値が設定され、所定の商業施設で使用することができるポイントである。
【００２１】
また、受信部１４は、第１車両が使用されることを示す使用情報又は第１車両が使用されないことを示す不使用情報を受信する。選択部１２は、受信部１４が不使用情報を受信した場合、以前選択した第１車両とは別の第１車両を選択する。そして、送信部１３は、当該別の第１車両の返却位置情報を第１ユーザ宛てに送信する。
【００２２】
また、取得部１１は、施設の位置を示す施設位置情報を取得してもよい。この場合、計数部１５は、返却位置情報及び施設位置情報に基づいて、施設から移動する予定がある第２ユーザが車両まで到達するために必要な時間が所定の時間以下である第２車両の数を計数する。ここで、第２ユーザとは、例えば、施設の従業員であり、当該施設から退勤する予定がある旨が予め登録されている。そして、送信部１３は、計数部１５が計数した数が所定の数以下である場合、施設からの移動に第２車両を使用しないことを促す不使用促進情報を送信する。
【００２３】
出力部２１は、例えば、カーシェアリングサービスを利用するユーザにより携帯されているスマートフォンのディスプレイである。出力部２１は、車両が返却された位置を示す返却位置情報のうち施設へ移動する予定がある第１ユーザの位置を示す第１ユーザ位置情報と所定の関係を満たす第１車両の返却位置情報を受信して出力する。具体的には、出力部２１は、車両が返却された位置を示す返却位置情報のうち施設へ移動する予定がある第１ユーザが車両まで到達するために必要な時間が所定の時間以下である第１車両の返却位置情報を受信して出力する。或いは、出力部２１は、車両が返却された位置を示す返却位置情報のうち施設へ移動する予定がある第１ユーザが車両まで到達するための経路の長さが所定の長さ以下である第１車両の返却位置情報を受信して出力する。
【００２４】
送信部２２は、送信部１３により返却位置情報が送信された第１車両が使用されるか否かを判定する。この判定は、例えば、スマートフォンのヒューマンマシンインターフェース（ＨＭＩ：Human Machine Interface）を通して入力された情報に基づいて実行される。
【００２５】
また、送信部２２は、第１車両を使用して第１ユーザが施設へ移動したことを示す使用完了情報を送信する。そして、出力部２１は、第１車両を使用したことにより付与される特典の内容を示す特典情報を受信して出力する。
【００２６】
さらに、送信部２２は、第１車両が使用されることを示す使用情報又は第１車両が使用されないことを示す不使用情報を送信する。そして、出力部２１は、以前選択された第１車両とは別の第１車両の返却位置情報を受信して出力する。
【００２７】
なお、使用情報、不使用情報及び使用完了情報は、例えば、スマートフォンのヒューマンマシンインターフェースを通して入力される。
【００２８】
さらに、出力部２１は、取得部１１が施設位置情報を取得する場合、施設から移動する予定がある第２ユーザが車両まで到達するために必要な時間が所定の時間以下である第２車両を施設からの移動に使用しないことを促す不使用促進情報を情報提供装置１０が備える送信部１３から受信して出力してもよい。
【００２９】
図２を参照しながら、実施形態に係る情報提供装置１０及び端末装置２０が行う好適な処理の例について説明する。
【００３０】
ステップＳ１１において、取得部１１は、車両が返却された位置を示す返却位置情報及び施設へ移動する予定がある第１ユーザの位置を示す第１ユーザ情報を取得する。なお、ステップＳ１１は、リアルタイムに実行されても、所定の時間ごとに実行されてもよい。
【００３１】
ステップＳ１２において、選択部１２は、返却位置情報と第１ユーザ情報とが所定の関係を満たす第１車両を選択する。また、選択部１２は、ステップＳ１６の直後にステップＳ１２が実行される場合、以前選択した第１車両とは別の第１車両を選択する。なお、ステップＳ１２は、所定の時間ごとに実行されることが好ましい。
【００３２】
ステップＳ１３において、送信部１３は、第１車両の返却位置情報を送信する。
【００３３】
ステップＳ１４において、出力部２１は、ステップＳ１３で送信された返却位置情報を受信して出力する。
【００３４】
ステップＳ１５において、送信部２２は、ステップＳ１３で返却位置情報が送信された第１車両が使用されるか否かを判定する。送信部２２は、当該第１車両が使用されないと判定した場合（ステップＳ１５：Ｎｏ）、処理をステップＳ１６へ進め、当該第１車両が使用されると判定した場合（ステップＳ１５：Ｙｅｓ）、処理をステップＳ１７へ進める。
【００３５】
ステップＳ１６において、送信部２２は、ステップＳ１３で返却位置情報が送信された第１車両が使用されないことを示す不使用情報を送信する。その後、受信部１４は、処理をステップＳ１２へ戻す。
【００３６】
ステップＳ１７において、送信部２２は、ステップＳ１３で返却位置情報が送信された第１車両が使用されることを示す使用情報を送信する。その後、送信部２２は、処理をステップＳ１８へ進める。
【００３７】
なお、ステップＳ１４で出力された返却位置情報を参照した第１ユーザがステップＳ１３で返却位置情報が送信された第１車両の使用を希望する場合、ステップＳ１７が実行され、当該第１車両の使用を希望しない場合、ステップＳ１６が実行される。
【００３８】
ステップＳ１８において、送信部２２は、ステップＳ１３で返却位置情報が送信された第１車両を使用して第１ユーザが施設へ移動したことを示す使用完了情報を送信する。
【００３９】
ステップＳ１９において、送信部１３は、ステップＳ１３で返却位置情報が送信された第１車両を使用したことにより付与される特典の内容を示す特典情報を送信する。
【００４０】
ステップＳ２０において、出力部２１は、ステップＳ１８で送信された特典情報を受信して出力する。
【００４１】
図３を参照しながら、実施形態に係る情報提供装置１０及び端末装置２０が行う好適な処理の例について説明する。
【００４２】
ステップＳ２１において、取得部１１は、施設の位置を示す施設位置情報を取得する。
【００４３】
ステップＳ２２において、計数部１５は、返却位置情報及び施設位置情報に基づいて、施設から移動する予定がある第２ユーザが車両まで到達するために必要な時間が所定の時間以下である第２車両の数を計数する。
【００４４】
ステップＳ２３において、送信部１３は、ステップＳ２２で計数した数が所定の数以下であるか否かを判定する。送信部１３は、当該数が所定の数以下である場合、処理をステップＳ２４へ進め、当該数が所定の数を超えている場合、処理を終了させる。
【００４５】
ステップＳ２４において、送信部１３は、施設からの移動に第２車両を使用しないことを促す不使用促進情報を送信する。
【００４６】
ステップＳ２５において、出力部２１は、ステップＳ２４で送信された不使用促進情報を受信して出力する。
【００４７】
以上、本発明の一例である実施形態について説明した。実施形態に係る情報提供装置１０は、返却位置情報と第１ユーザ位置情報とが所定の関係を満たす第１車両を選択し、第１車両の返却位置情報を第１ユーザ宛てに送信する。また、実施形態に係る端末装置２０は、第１車両の返却位置情報を受信して出力する。このため、情報提供装置１０及び端末装置２０は、第１ユーザが車両まで到達するために必要な労力を軽減しつつ、第１ユーザに第１車両を施設へ移動させることを促すことができる。
【００４８】
また、情報提供装置１０は、第１車両を使用して第１ユーザが施設へ移動したことを示す使用完了情報を受信した場合、第１車両を使用したことにより付与される特典の内容を示す特典情報を送信する。さらに、端末装置２０は、特典情報を受信して出力する。このため、情報提供装置１０及び端末装置２０は、車両まで到達し、施設まで車両を移動させる第１ユーザを特典により慰労しつつ、第１ユーザに第１車両を施設へ移動させることをより強く促すことができる。
【００４９】
また、情報提供装置１０は、第１車両が使用されないことを示す不使用情報を受信した場合、以前選択した第１車両とは別の第１車両を選択し、当該別の第１車両の返却位置情報を第１ユーザ宛てに送信する。さらに、端末装置２０は、不使用情報を送信し、当該別の第１車両の返却位置情報を受信して出力する。このため、情報提供装置１０及び端末装置２０は、第１ユーザが使用しないと判断した第１車両に代わる別の第１車両を提示し、第１ユーザに当該第１車両を施設へ移動させることを促すことができる。
【００５０】
また、情報提供装置１０は、返却位置情報及び施設位置情報に基づいて、施設から移動する予定がある第２ユーザが車両まで到達するために必要な時間が所定の時間以下である第２車両の数を計数し、計数した数が所定の数以下である場合、施設からの移動に第２車両を使用しないことを促す不使用促進情報を送信する。さらに、端末装置２０は、不使用促進情報を受信して出力する。このため、情報提供装置１０及び端末装置２０は、施設から移動する予定がある第２ユーザが施設又はその周辺に位置するカーシェアリング用の車両を使用することにより、施設及びその周辺に位置する第２車両が不足することを抑制することができる。
【００５１】
なお、本発明は、上述した実施形態に限定されるものではなく、本発明の要旨を逸脱しない範囲内において、他の様々な形で実施することができる。このため、上述した実施形態はあらゆる点で単なる例示にすぎず、限定的に解釈されるものではない。例えば、上述した各処理ステップは処理内容に矛盾を生じない範囲で任意に順番を変更し、又は並列に実行することができる。
【符号の説明】
【００５２】
１０…情報提供装置、１１…取得部、１２…選択部、１３…送信部、１４…受信部、１５…計数部、２０…端末装置、２１…出力部、２２…送信部
【図１】
2019139407.tif 000003
【図２】
2019139407.tif 000004
【図３】
2019139407.tif 000005